(57)【要約】【課題】本発明は、撮影者と撮像装置との距離が大きくなった際の撮像装置のズーム制御の誤動作を低減できる装置を提供することを目的とする。【解決手段】被写体側に配置され、ズーム倍率を変更可能な第１のカメラと、撮影者側に配置された第２のカメラと、第２のカメラが撮像した撮影者の情報に基づいて前記第１のカメラのズーム倍率を制御する制御手段と、を備え、制御手段は、第２のカメラが撮像した撮影者の顔の大きさが第１の範囲で変化する場合には第１のカメラのズーム倍率を変更する一方、第２のカメラが撮像した撮影者の顔の大きさが第１の範囲が示す最小の大きさよりも小さい大きさを最大の大きさとする第２の範囲で変化する場合には第１のカメラのズーム倍率を変更しない。【選択図】図１
2012090029.tif 000002
【特許請求の範囲】
【請求項１】
被写体側に配置され、ズーム倍率を変更可能な第１のカメラと、
撮影者側に配置された第２のカメラと、
前記第２のカメラが撮像した撮影者の情報に基づいて前記第１のカメラのズーム倍率を制御する制御手段と、を備え、
前記制御手段は、
前記第２のカメラが撮像した撮影者の顔の大きさが第１の範囲で変化する場合には、前記第１のカメラのズーム倍率を変更する一方、
前記第２のカメラが撮像した撮影者の顔の大きさが前記第１の範囲が示す最小の大きさよりも小さい大きさを最大の大きさとする第２の範囲で変化する場合には、前記第１のカメラのズーム倍率を変更しない、
撮像装置。
【請求項２】
前記制御手段は、
前記第２のカメラが撮像した撮影者の顔の大きさが第１の範囲で変化する場合において、前記撮影者の顔の大きさが大きくなると、前記第１のカメラのズーム倍率を広角寄りに制御する、
前記請求項１に記載の撮像装置。
【請求項３】
前記制御手段は、
前記第２のカメラが撮像した撮影者の顔の大きさが第１の範囲で変化する場合において、前記撮影者の顔の大きさが大きくなると、前記第１のカメラのズーム倍率を望遠寄りに制御する、
前記請求項１に記載の撮像装置。
【発明の詳細な説明】
【技術分野】
【０００１】
本発明は撮像装置に関し、特にズーム倍率を制御可能な撮像装置に関する。
【背景技術】
【０００２】
特許文献１は、撮影者と撮像装置の距離に応じて画角を決定し、被写体を撮影する撮像装置のズーム倍率を変更する機能を備えた撮像装置を開示している。この撮像装置は、撮影者との距離が大きくなるにつれて、望遠寄りにズーム制御を行う。
【先行技術文献】
【特許文献】
【０００３】
【特許文献１】特開２０１０−１８３３７８号公報
【発明の概要】
【発明が解決しようとする課題】
【０００４】
しかしながら、特許文献１は、撮影者と撮像装置との距離が大きくなった場合でも望遠寄りのズーム制御を続ける。この場合に、撮影者以外の人を検出するという問題が考えられる。
【０００５】
そこで、本発明は、撮影者と撮像装置との距離が大きくなった際の撮像装置のズーム制御の誤動作を低減できる装置を提供することを目的とする。
【課題を解決するための手段】
【０００６】
上記課題を解決するために、本発明にかかる撮像装置は、被写体側に配置され、ズーム倍率を変更可能な第１のカメラと、撮影者側に配置された第２のカメラと、第２のカメラが撮像した撮影者の情報に基づいて前記第１のカメラのズーム倍率を制御する制御手段と、を備え、制御手段は、第２のカメラが撮像した撮影者の顔の大きさが第１の範囲で変化する場合には第１のカメラのズーム倍率を変更する一方、第２のカメラが撮像した撮影者の顔の大きさが第１の範囲が示す最小の大きさよりも小さい大きさを最大の大きさとする第２の範囲で変化する場合には第１のカメラのズーム倍率を変更しない。
【発明の効果】
【０００７】
本発明によれば、撮影者と撮像装置との距離が大きくなった際の撮像装置のズーム制御の誤動作を低減できる装置を提供できる。
【図面の簡単な説明】
【０００８】
【図１】タブレット端末１００の外観構成図
【図２】タブレット端末１００のブロック図
【図３】撮影者がタブレット端末を標準的な距離で持ち、被写体を撮影する際の説明に用いる図
【図４】図３の例において、ズーム制御なしで被写体を撮像し、撮像者がその画像を視認する際の説明に用いる図
【図５】撮影者が腕を縮め、タブレット端末を撮影者側に近づけて持ち、被写体を撮影する際の説明に用いる図
【図６】図５、図１２の例において、広角寄りにズーム制御をして被写体を撮像し、撮像者がその画像を視認する際の説明に用いる図
【図７】撮影者が腕を伸ばし、タブレット端末を被写体側に近づけて持ち、被写体を撮影する際の説明に用いる図
【図８】図７、図１１の例において、望遠寄りにズーム制御をして被写体を撮影し、撮像者がその画像を視認する際の説明に用いる図
【図９】実施の形態１および２に係るタブレット端末１００の動作の一例を示すフローチャート
【図１０】実施の形態１に係るタブレット端末のズーム倍率の変更の説明に用いる図
【図１１】撮影者が、撮影者自身の顔をタブレット端末に近づけ、被写体を撮影する際の説明に用いる図
【図１２】撮影者が、撮影者自身の顔をタブレット端末から遠ざけ、被写体を撮影する際の説明に用いる図
【図１３】実施の形態２に係るタブレット端末のズーム倍率の変更の説明に用いる図
【発明を実施するための形態】
【０００９】
〔１．実施の形態１〕
以下、本発明をタブレット端末に適用した場合の実施の形態１について図面を参照しながら説明する。
【００１０】
〔１−１．概要〕
本実施の形態にかかるタブレット端末１００は、第１のカメラデバイス１１０と第２のカメラデバイス１２０とを備える。第２のカメラデバイス１２０は、撮影者の顔を撮像する。コントローラー１４０は、第２のカメラデバイス１２０の撮像した画像から、撮影者の顔の大きさや位置を検出する。タブレット端末１００は、この顔画像の検出結果に応じて、第１のカメラデバイス１１０のズーム倍率を変更する。これにより、タブレット端末１００は、使用者の直感的動作に応じ、ズーム制御を施した画像を撮像することができる。さらに、タブレット端末１００は、顔画像の検出結果次第では、第１のカメラデバイス１１０のズーム制御を禁止する。これにより、撮影者の動作によって生じる、撮像装置のズーム制御の誤動作を低減することができる。
【００１１】
本実施の形態にかかるタブレット端末１００は、撮影者が撮像装置を被写体方向へ動作させることによって、ズーム制御を実現する。さらに、タブレット端末１００は、撮影者の動き次第では、前記ズーム制御を停止可能である。
【００１２】
〔１−２．構成〕
〔１−２−１．外観構成〕
本実施の形態にかかるタブレット端末１００の外観構成について、図１を用いて説明する。図１は、タブレット端末１００の外観的構成を示す。図１の（Ａ）は本実施の形態のタブレット端末１００の筐体正面図を、図１の（Ｂ）は筐体背面図を示している。なお、図１において参照符号が付された各デバイスは、タブレット端末１００が備えている全デバイスのうちの一部である。図中（Ｂ）に示す筐体背面側には、第１のカメラデバイス１１０が配され、図中（Ａ）に示す筐体正面側には、第２のカメラデバイス（サブカメラ）１２０と、ディスプレイ１３０が配されている。
【００１３】
第１のカメラデバイス１１０は、例えば、タブレット端末１００の撮影機能などを利用する際に、被写体を撮影することを目的とし、被写体像を拡大又は縮小することが可能である。
【００１４】
第２のカメラデバイス１２０は、例えば、撮影者又はタブレット端末１００の操作者自身を撮影することを目的としている。
【００１５】
ディスプレイ１３０は、画像や文字を表示可能である。本実施の形態では、第１のカメラデバイス１１０が撮像しているスルー画像を表示可能である。また、撮像した画像をメモリ等に格納し、メモリに格納した画像も表示可能である。さらに、必要に応じて、第２のカメラデバイス１２０が撮像しているスルー画像や、メモリ等に一時格納しておいた、撮像した画像も表示可能である。
【００１６】
〔１−２−２．電気的構成〕
本実施の形態にかかるタブレット端末１００の電気的構成について、図２を用いて説明する。図２は、タブレット端末１００の構成を示すブロック図である。タブレット端末１００は、第２のカメラデバイス１２０が撮像する画像を、コントローラー１４０の入力とする。コントローラー１４０は、その入力画像から撮影者の顔を検出するために、解析を行う。コントローラー１４０は、その画像の顔検出結果に応じて、第１のカメラデバイス１１０のズーム機能を制御する。第１のカメラデバイス１１０で撮像しているスルー画像は、ディスプレイ１３０で表示可能である。さらに、第１のカメラデバイス１１０で撮影された画像はメモリ１５０に格納される。また、メモリ１５０に格納された画像もまた、ディスプレイ１３０で表示可能である。以下、タブレット端末１００の構成を詳細に説明する。
【００１７】
第１のカメラデバイス１１０は、ズームレンズ１１１、ＣＣＤイメージセンサー１１２、画像処理部１１３、メモリ１１４、ズームモータ１１５を含む。第２のカメラデバイス１２０は、ＣＣＤイメージセンサー１２１、画像処理部１２２、メモリ１２３を含む。
【００１８】
ズームレンズ１１０は、光学系の光軸に沿って移動することにより、被写体像を拡大又は縮小可能である。
【００１９】
ＣＣＤイメージセンサー１１２は、ズームレンズ１１１等からなる光学系で形成された被写体像を撮像して、画像データを生成する。ＣＣＤイメージセンサー１１２は、露光、転送、電子シャッタなどの各種動作を行う。なお、第２のカメラデバイスが有する、ＣＣＤイメージセンサー１２１についても、ＣＣＤイメージセンサー１１２と同様の構成である。
【００２０】
画像処理部１１３は、ＣＣＤイメージセンサー１１２で生成された画像データに対して各種の処理を施す。画像処理部１１３は、ＣＣＤイメージセンサー１１２で生成された画像データに対して処理を施し、ディスプレイ１３０に表示するための画像データを生成したり、メモリ１５０に再格納するための画像データを生成したりする。例えば、画像処理部１１３は、ＣＣＤイメージセンサー１１２で生成された画像データに対してガンマ補正やホワイトバランス補正、傷補正などの各種処理を行う。また、画像処理部１１３は、ＣＣＤイメージセンサー１１２で生成された画像データに対して、ＪＰＥＧ規格に準拠した圧縮形式等により画像データを圧縮する。画像処理部１１３は、ＤＳＰやマイコンなどで実現可能である。なお、第２のカメラデバイス１２０が有する画像処理部１２２についても、画像処理部１１３と同様の構成である。
【００２１】
メモリ１１４は、画像処理部１１３及びコントローラー１４０のワークメモリとして機能する。メモリ１１４は、例えば、ＤＲＡＭ、強誘電体メモリなどで実現できる。なお、第２のカメラデバイス１２０が有するメモリ１２３についても、メモリ１１４と同様の構成である。
【００２２】
ズームモータ１１５はズームレンズ１１１を駆動する。ズームモータ１１５は、パルスモータやＤＣモータ、リニアモータ、サーボモータなどで実現してもよい。ズームモータ１１５は、カム機構やボールネジなどの機構を介してズームレンズ１１１を駆動するようにしてもよい。
【００２３】
コントローラー１４０は、全体を制御する制御手段である。コントローラー１４０は半導体素子などで実現可能である。コントローラー１４０は、ハードウェアのみで構成してもよいし、ハードウェアとソフトウェアと組み合わせることにより実現してもよい。コントローラー１４０は、マイコンなどで実現できる。本実施の形態にかかるコントローラー１４０は、第２のカメラデバイス１２０の画像の顔検出を行う機能を備えるため、ソフトウェアとハードウェアとの組み合わせによって実現している。ここで、顔検出とは、撮像する画像全体から、人の顔を特定する機能をいう。具体的な方法として、人間の目、鼻、口の位置関係に関するデータベースを有し、取得した画像とそのデータベースのマッチングを行うことが挙げられる。なお、顔検出方法については、あくまでも一例である。
【００２４】
メモリ１５０は、フラッシュメモリや強誘電体メモリなどを内部に含み、データを格納可能である。また、メモリ１５０は、コントローラー１４０のワークメモリとして機能してもよい
ディスプレイ１３０は、ＣＣＤイメージセンサー１１２で生成した画像データが示す画像や、メモリ１５０から読み出した画像データが示す画像を表示可能である。
【００２５】
〔１−２−３．本発明との対応関係〕
ズームレンズ１１１、ＣＣＤイメージセンサー１１２、画像処理部１１３、メモリ１１４、ズームモータ１１５とからなる構成は、本発明における第１のカメラの一例である。ＣＣＤイメージセンサー１２１、画像処理部１２２、メモリ１２３とからなる構成は、本発明における第２のカメラの一例である。ズームモータ１１５およびコントローラー１４０は、本発明における制御手段の一例である。
【００２６】
〔１−３．ズーム機能制御方法〕
〔１−３−１．動作の一例〕
本実施の形態にかかるタブレット端末１００の第１のカメラデバイス１１０は、ズーム倍率を調整可能とするズーム機能を備えている。第２のカメラデバイス１２０によって撮像される撮影者の顔の位置や大きさに応じて、第１のカメラデバイス１１０のズーム倍率が変更される。
【００２７】
例えば、図３に示すような、撮影者２００、タブレット端末１００、被写体の位置関係を標準とする。そのとき、第１のカメラデバイスのズーム制御を使用しなければ、第１のカメラデバイス１１０によって撮像される画像は、一例として図４に示すようなものとなる。本実施の形態では、図５に示すように、撮影者２００が自身の腕２１０を縮め、タブレット端末１００を撮影者側に近づけたとき、第１のカメラデバイス１１０はズーム制御を機能させる。それにより撮像される画像は、一例として図６に示すようになる。図６は、図４と比較し、被写体をズームダウンした画像となる。詳細なズーム制御の動作については後述する。一方、図７に示すように、撮影者２００が自身の腕２１０を伸ばし、タブレット端末１００を被写体側に近づけたとき、第１のカメラデバイス１１０によって撮像される画像は、一例として図８に示すようになる。図８は、図４と比較し、被写体をズームアップした画像となる。以上より、本実施の形態では、撮影者がタブレット端末１００を被写体方向に動作させたときの、第１のカメラデバイス１１０のズーム制御について考えている。以下で、タブレット端末１００の詳細な撮影モード時の処理フローについて述べる。
【００２８】
〔１−３−２．撮影モード時の処理フロー〕
図９は、本実施の形態にかかるタブレット端末１００の撮影モード時の処理の流れを示すフローチャートである。
【００２９】
タブレット端末１００は、操作者のディスプレイ１３０のタッチパネル操作等を通じ、撮影モード（Ｓ２００）への切替えを行う。撮影モードに設定されると、第１のカメラデバイス１１０および第２のカメラデバイス１２０が撮像を開始する。コントローラー１４０は第２のカメラデバイス１２０が撮像している画像より、撮影者の顔を検出する（Ｓ２１０）。撮影者の顔が検出されると、コントローラー１４０は、検出した顔の大きさと位置を計測する（Ｓ２２０）。
【００３０】
撮影者の顔の大きさと位置を計測すると、コントローラー１４０は、計測した顔の位置が禁止領域に存在するか否かを判断する（Ｓ２３０）。なお、本実施の形態にかかる、禁止領域についての説明を行う。まず、画像の横幅の半分の長さに対する、検出した顔の中心と画像の中心の差分の割合を計測する。その割合が、90％以上にあたる領域を、禁止領域とする。なお、この割合の値は、本実施の形態における、一例にすぎない。また、顔の位置が禁止領域に存在しているか否かについての、前記判断方法は一例にすぎない。例えば、画像を、画像の中心を含むズーム制御領域と、それ以外の禁止領域に分け、画像全体を格子状に、少なくとも前記２つの領域より小さいエリアに分ける。各エリアに対し、顔検出結果の重み付けを行う。そして、その結果から、検出した顔の位置のエリアの一つを特定し、そのエリアが前記領域のどちらに属しているかでも、判断可能である。
【００３１】
コントローラー１４０は、計測した顔の位置が禁止領域であると判断すると、第１のカメラデバイス１１０のズーム制御を停止する。一方、コントローラー１４０は、計測した顔の位置が禁止領域ではないと判断すると、計測した顔の大きさが第１の範囲もしくは第２の範囲のどちらに属しているかを判断する（Ｓ２４０）。なお、第１の範囲と第２の範囲には相関があり、第１の範囲の最小となる顔の大きさが、その第１の範囲の顔の大きさより小さい第２の範囲の最大の顔の大きさとなる。つまり、ある一点のみを共通の境界点とし、第１の範囲と第２の範囲が遷移する。ここで、本実施の形態にかかる、顔の大きさを画像全体にしめる、検出された顔の大きさの割合と定めるとする。そのとき、第１の範囲と第２の範囲の共通の境界点は、顔の大きさが１０％となる点である。つまり、検出された顔の大きさが１０％以上のとき、第１の範囲と判断し、１０％以下のとき、第２の範囲と判断する。なお、上記境界点の具体的な値はあくまでも一例にすぎない。
【００３２】
コントローラー１４０は、顔の大きさが第２の領域であると判断すると、第１のカメラデバイス１１０のズーム制御を停止する。一方、コントローラー１４０は、顔の大きさが第１の領域であると判断すると、その顔の大きさに応じて第１のカメラデバイス１１０に設定するズーム倍率の算出を行う（Ｓ２５０）。ズーム倍率の算出法については、後述する。ズーム倍率を算出すると、コントローラー１４０はズームモータ１１５を制御する（Ｓ２６０）。ズームモータ１１５は、ズームレンズ１１１を光軸方向に制御する。ズームレンズ１１１が光軸方向に移動することにより、ＣＣＤイメージセンサー１１２によって撮像される画像の被写体像の大きさを変更可能である。
【００３３】
なお、Ｓ２３０において、検出した顔の位置が禁止領域である場合、第１のカメラデバイス１１０のズーム制御を停止する理由について述べる。撮影者の顔の位置が、禁止領域に存在する場合、禁止領域の設定にもよるが、撮影者の顔は第２のカメラデバイス１２０の撮像する画像の端に存在する場合が多い。このとき、撮影者以外の人が、第２のカメラデバイス１２０の撮像する画像に写り込む可能性が高くなる。そのため、コントローラー１４０の顔検出結果から、撮影者の意図していない、第１のカメラデバイス１１０のズーム制御がなされる場合が想定される。そのような、第１のカメラデバイス１１０のズーム制御の誤動作を防ぐため、コントローラー１４０は検出した顔の位置により、第１のカメラデバイス１１０のズーム制御を動作させるか否かを判断している。
【００３４】
また、Ｓ２４０において、検出した顔の大きさが第２の範囲である場合、第１のカメラデバイス１１０のズーム制御を停止する理由について述べる。撮影者の顔の大きさが小さい程、タブレット端末１００と撮影者の距離は遠くなる。そのため、撮影者以外の人が、第２のカメラデバイス１２０の撮像する画像に写り込む可能性が高くなる。このとき、上記Ｓ２３０の理由と同様で、コントローラー１４０の顔検出結果から、撮影者の意図していない、第１のカメラデバイス１１０のズーム制御がなされる場合が想定される。そのような、第１のカメラデバイス１１０のズーム制御の誤動作を防ぐため、コントローラー１４０は検出した顔の大きさにより、第１のカメラデバイス１１０のズーム制御を動作させるか否かを判断している。
【００３５】
以上のような制御により、第２のカメラデバイス１２０が撮像した撮影者の顔画像に応じて、第１のカメラデバイス１１０のズーム制御を自動に機能させる。
【００３６】
〔１−３−３．ズーム倍率の算出法〕
本実施の形態にかかる、コントローラー１４０のズーム倍率の算出について、図１０を用いて説明する。図１０は、検出した顔の位置が禁止領域に存在しない場合に、コントローラー１４０が第２のカメラデバイス１２０の撮像した画像から検出した顔の大きさと、第１のカメラデバイス１１０に反映させるズーム倍率との関係を示している。なお、前述したとおり、検出した顔の大きさとは、第２のカメラデバイス１２０が撮像した画像全体に占める顔領域の割合である。コントローラー１４０が検出した顔の大きさにより、ズーム倍率が決定する。顔の大きさが大きいほどズーム倍率は低下し、顔の大きさが小さいほど、ズーム倍率は増加する。つまり、コントローラー１４０は、検出した顔の大きさが大きいほど、第１のカメラデバイス１１０のズームレンズ１１１を広角寄りに設定し、検出した顔の大きさが小さいほど、第１のカメラデバイス１１０のズームレンズ１１１を、望遠寄りに設定する。本実施の形態では、検出した顔の大きさが６５％のとき、ズーム倍率を１倍と設定する。また、検出した顔の大きさが１０％以下となった場合、前記の第２の範囲にあたり、コントローラー１４０は、第１のカメラデバイス１１０のズーム制御を停止する。ここでは、図１０に示した、ある時点の顔の大きさによるズーム倍率の算出値は、あくまでも一例として示している。
【００３７】
〔１−４．本実施の形態のまとめ〕
以上のように、本実施の形態にかかる撮像装置は、被写体側に配置され、ズーム倍率を変更可能な第１のカメラデバイス１１０と、撮影者側に配置された第２のカメラデバイス１２０と、第２のカメラデバイス１２０が撮像した撮影者の情報に基づいて第１のカメラデバイス１１０のズーム倍率を制御するコントローラー１４０と、を備え、コントローラー１４０として、第２のカメラデバイス１２０が撮像した撮影者の顔の大きさが第１の範囲で変化する場合には、第１のカメラデバイス１１０のズーム倍率を変更する一方、第２のカメラデバイス１２０が撮像した撮影者の顔の大きさが第１の範囲が示す最小の大きさよりも小さい大きさを最大の大きさとする第２の範囲で変化する場合には、第１のカメラのズーム倍率を変更しない、コントローラー１４０を少なくとも有する。
【００３８】
これにより、タブレット端末１００は、撮像装置の動作に応じて、被写体の撮像を行う第１のカメラデバイス１１０のズーム制御を自動で行う。また、第２のカメラデバイス１２０の撮像した画像から検出した顔の大きさが第２の範囲であるときは、第１のカメラデバイス１１０のズーム制御を停止し、撮影者の意図していない第１のカメラデバイス１１０のズーム制御の誤動作を防ぐことが可能となる。
【００３９】
また、本実施の形態にかかる撮像装置は、被写体側に配置され、ズーム倍率を変更可能な第１のカメラデバイス１１０と、撮影者側に配置された第２のカメラデバイス１２０と、第２のカメラデバイス１２０が撮像した撮影者の情報に基づいて第１のカメラデバイス１１０のズーム倍率を制御するコントローラー１４０と、を備え、コントローラー１４０として、第２のカメラデバイス１２０が撮像した撮影者の顔の位置が禁止領域に存在する場合には、第１のカメラデバイス１１０のズーム倍率を変更しない、コントローラー１４０を少なくとも有する。
【００４０】
これにより、タブレット端末１００は、撮像装置の動作に応じて、被写体の撮像を行う第１のカメラデバイス１１０のズーム制御を自動で行う。また、第２のカメラデバイス１２０の撮像した画像から検出した顔の位置が禁止領域に存在するときは、第１のカメラデバイス１１０のズーム制御を停止し、撮影者の意図していない第１のカメラデバイス１１０のズーム制御の誤動作を防ぐことが可能となる。
【００４１】
また、本実施の形態にかかる撮像装置において、第２のカメラデバイス１２０が撮像した顔の大きさが大きくなると、コントローラー１４０は、第１のカメラデバイス１１０のズーム倍率を広角寄りに制御してもよい。
【００４２】
これにより、タブレット端末１００は、撮影者によるタブレット端末１００の被写体方向への動作に対し、第１のカメラデバイス１１０のズーム機能を制御し、撮影者のより直感的なズーム制御を実現できる。
〔２．実施の形態２〕
以下、本発明をタブレット端末に適用した場合の実施の形態２について図面を参照しながら説明する。なお、実施の形態１にかかるタブレット端末１００と共通の構成については、同一符号を用いて説明する。
【００４３】
実施の形態１では、〔１−３−１．動作の一例〕で示したように、撮影者がタブレット端末１００を被写体方向に動作させたときの、被写体を撮影する第１のカメラデバイス１１０のズーム制御について説明した。それに対し、実施の形態２では、撮影者が被写体方向へ動作したときの、第１のカメラデバイス１１０のズーム制御についての説明を行う。つまり、実施の形態１と異なるのは、〔１−３−１．動作の一例〕および〔１−３−３．ズーム倍率の算出法〕である。よって、これらについてのみ詳細に説明を行い、実施の形態１にかかるタブレット端末１００と共通の部分については説明を省略する
〔２−１．動作の一例〕
本実施の形態にかかるタブレット端末１００の第１のカメラデバイス１１０は、ズーム倍率を調整可能とするズーム機能を備えている。第２のカメラデバイス１２０によって撮像される撮影者の顔の位置や大きさに応じて、第１のカメラデバイス１１０のズーム倍率が変更される。
【００４４】
例えば、図３に示すように、撮影者２００、タブレット端末１００、被写体の位置関係を標準とする。そのとき、第１のカメラデバイスのズーム制御を使用しなければ、第１のカメラデバイス１１０によって撮像される画像は、一例として図４に示すようなものとなる。本実施の形態では、図１１に示すように、撮影者２００が自身の腕２１０を縮め、タブレット端末１００側（被写体側）に撮影者２００自身が近づいたとき、第１のカメラデバイス１１０はズーム制御を機能させる。それにより撮像される画像は、一例として図８に示すようになる。図８は、図４と比較し、被写体をズームアップした画像となる。ズーム制御にいたるフローチャートは実施の形態１において、図９を用いて説明した。実施の形態１と異なる、ズーム倍率の算出法については後述する。一方、図１２に示すように、撮影者２００が自身の腕２１０を伸ばし、タブレット端末１００（被写体側）から遠ざかるように撮影者２００自身が動いたとき、第１のカメラデバイス１１０によって撮像される画像は、一例として図６に示すようになる。図６は、図４と比較し、被写体をズームダウンした画像となる。以上より、本実施の形態では、撮影者自身が被写体方向へ動作したときの第１のカメラデバイス１１０のズーム制御について考えている。タブレット端末１００の詳細な撮影モード時の処理フローは実施の形態１と同様であるので省略し、ズーム倍率の算出法について述べる。
【００４５】
〔２−２．ズーム倍率の算出法〕
本実施の形態にかかる、コントローラー１４０のズーム倍率の算出について、図１３を用いて説明する。図１３は、検出した顔の位置が禁止領域に存在しない場合に、コントローラー１４０が第２のカメラデバイス１２０の撮像した画像から検出した顔の大きさと、第１のカメラデバイス１１０に反映させるズーム倍率との関係を示している。なお、実施の形態１で前述したとおり、検出した顔の大きさとは、第２のカメラデバイス１２０が撮像した画像全体に占める顔領域の割合である。コントローラー１４０が検出した顔の大きさにより、ズーム倍率が決定する。顔の大きさが大きいほどズーム倍率は増加し、顔の大きさが小さいほど、ズーム倍率は低下する。つまり、コントローラー１４０は、検出した顔の大きさが大きいほど、第１のカメラデバイス１１０のズームレンズ１１１を望遠寄りに設定し、検出した顔の大きさが小さいほど、第１のカメラデバイス１１０のズームレンズ１１１を、広角寄りに設定する。また、本実施の形態では、検出した顔の大きさが３５％のとき、ズーム倍率を１倍に設定する。また、検出した顔の大きさが１０％以下となった場合、実施の形態１で前記した第２の範囲にあたり、コントローラー１４０は、第１のカメラデバイス１１０のズーム制御を停止する。ここでは、ある時点の顔の大きさによるズーム倍率の算出値は、あくまでも一例として示している。
【００４６】
以上のように、本実施の形態におけるズーム倍率の算出は、実施の形態１と比較し、逆の制御となる。すなわち、実施の形態１では、顔の大きさが大きくなるにつれ、第１のカメラデバイスのズーム制御を広角寄りにするのに対し、本実施の形態では、顔の大きさが大きくなるにつれ、第１のカメラデバイスのズーム制御を望遠寄りにする。これにより、本実施の形態では、撮影者自身の被写体方向への動作により、撮影者の直感的なズーム制御を実現できる。
【００４７】
〔２−３．本実施の形態のまとめ〕
以上のように、本実施の形態にかかる撮像装置は、被写体側に配置され、ズーム倍率を変更可能な第１のカメラデバイス１１０と、撮影者側に配置された第２のカメラデバイス１２０と、第２のカメラデバイス１２０が撮像した撮影者の情報に基づいて第１のカメラデバイス１１０のズーム倍率を制御するコントローラー１４０と、を備え、第２のカメラデバイス１２０が撮像した顔の大きさが大きくなると、コントローラー１４０は、第１のカメラデバイス１１０のズーム倍率を望遠寄りに制御してもよい。
【００４８】
これにより、タブレット端末１００は、撮影者の被写体方向への動作に対し、第１のカメラデバイス１１０のズーム制御し、撮影者のより直感的なズーム制御を実現できる。
〔３．他の実施の形態〕
以上により、本発明の実施の形態として、実施の形態１および２を説明した。しかし、本発明は、これらに限定されない。そこで、本発明の他の実施の形態を本欄にまとめて説明する。
【００４９】
本発明の実施の形態１および２では、ズームレンズ１１１を光軸方向に動作させることで光学ズームを実現した。しかし、必ずしもこのような構成に限定されない。つまり、本発明は、光学ズームと電子ズームの両方を行うことが可能な撮像装置にも適用可能である。
【００５０】
また、本発明の実施の形態１および２では、撮像手段として、ＣＣＤイメージセンサー１１２、１２１を例示したが、本発明はこれに限定されない。例えば、ＣＭＯＳイメージセンサーで構成してもよく、ＮＭＯＳイメージセンサーで構成してもよい。
【産業上の利用可能性】
【００５１】
本発明は、カメラ機能付き携帯電話端末やデジタルスチルカメラなどに適用可能である。
【符号の説明】
【００５２】
１００    タブレット端末
１１０    第１のカメラデバイス
１１１    ズームレンズ
１１２    ＣＣＤイメージセンサー
１１３    画像処理部
１１４    メモリ
１１５    ズームモータ
１２０    第２のカメラデバイス
１２１    ＣＣＤイメージセンサー
１２２    画像処理部
１２３    メモリ
１３０    ディスプレイ
１４０    コントローラー
１５０    メモリ
１６０    ディスプレイ
【図１】
2012090029.tif 000003
【図２】
2012090029.tif 000004
【図３】
2012090029.tif 000005
【図４】
2012090029.tif 000006
【図５】
2012090029.tif 000007
【図６】
2012090029.tif 000008
【図７】
2012090029.tif 000009
【図８】
2012090029.tif 000010
【図９】
2012090029.tif 000011
【図１０】
2012090029.tif 000012
【図１１】
2012090029.tif 000013
【図１２】
2012090029.tif 000014
【図１３】
2012090029.tif 000015